(57)【要約】【課題】地球温暖化・省エネが叫ばれる中，従来から用いられている扇風機の羽根部、ハブ部やガードの一部を改良して，送風される空気を冷風にして吹き出すようにした冷風扇風機で，低コストで涼しい送風を提供することを課題とする。【解決手段】保冷剤を内臓した羽根部をハブ部に着脱可能にして取り付けたり、保冷剤入りの袋を羽根部に着脱可能にして取り付けたりできるようにする。羽根部にサーモテープを取り付けて羽根部の温度を確認できるようにする。羽根部の温度を確認しながら，適宜保冷剤を内臓した羽根部や羽根部に取り付けられている保冷剤の袋を，開閉可能になっているガードの一部から安全に取り出して，冷蔵庫や冷凍庫等で冷却する。冷却した保冷剤を内臓した羽根部をハブ部に取り付けたり，保冷剤の袋を羽根部に取り付けたりすることにより，繰り返して低コストで涼しい風を得ることができる。【選択図】図１
2009127621.tif 000002
【特許請求の範囲】
【請求項１】
任意枚数の羽根部を有し，羽根部を回転させることにより装置前面に送風する扇風機において，保冷剤を内臓した羽根部をハブ部に着脱可能にして取り付けることのできるようにしたことを特徴とする冷風扇風機。
【請求項２】
任意枚数の羽根部を有し，羽根部を回転させることにより装置前面に送風する扇風機において，保冷剤入りの袋を羽根部に着脱可能にして取り付けることのできるようにしたことを特徴とする冷風扇風機。
【請求項３】
上記冷風扇風機において，保冷剤を内臓した羽根部をハブ部に着脱したり，保冷剤の袋を羽根部に着脱したりすることができるように，ガードの一部を開閉できるようにし，ガードの一部を開くときに冷風扇風機の電源が切れたり，ハブ部・羽根部の回転を止めたりするようにしたことを特徴とする冷風扇風機。
【請求項４】
上記冷風扇風機において，羽根部にサーモテープを取り付け，羽根部の温度が羽根部の静止中でも，回転中でも視覚で確認できるようにしたことを特徴とする冷風扇風機。
【発明の詳細な説明】
【技術分野】
【０００１】  本発明は，扇風機における羽根部に保冷剤を内臓，又は装着することにより，冷風を吹き出すようにするもので，冷風を吹き出すようにした扇風機に関するものである。
【背景技術】
【０００２】  従来，夏等の暑い時期には暑さを和らげるために，自然の風を室内に取り入れて体感温度を下げたり，冷媒等を介して低温化した風を送風するエアコンで室内温度を下げたり，扇風機で風を起こして体感温度を下げたりしている。
【発明の開示】
【発明が解決しようとする課題】
【０００３】  しかしながら，夏等の暑い時期には風があまり吹かなかったり，外気の温度の方が室内よりも高かったりする。また，エアコンは室内温度を下げることには有用であるが，使用時の電気消費量が高く，省エネを考えて設定温度を高くする傾向である。扇風機については，装置周辺の空気を羽根により送風するもので，空気の循環で体感温度が下がるが，送風される風の温度は室内温度であり，室内が高温になれば人に涼感を与えるには限界がある。地球温暖化・省エネが叫ばれる中，低コストで涼しい送風が得られる方法が望まれている。【０００４】  そこで，この発明は，従来から用いられている扇風機の羽根部に冷蔵庫や冷凍庫等で冷却した保冷剤を内臓，又は装着することにより，送風される空気を冷風にして吹き出すようにした冷風扇風機で，低コストで涼しい送風を提供することを課題とする。
【課題を解決するための手段】
【０００５】  以上の課題を解決するために，第一発明は，任意枚数の羽根部を有し，羽根部を回転させることにより装置前面に送風する扇風機において，保冷剤を内臓した羽根部をハブ部に着脱可能にして取り付けることのできるようにしたことを特徴とする冷風扇風機である。【０００６】  この第一発明においては，保冷剤を内臓した羽根部を適宜ハブ部から取り外して，冷蔵庫や冷凍庫等で冷却する。冷却した保冷剤内臓の羽根部を再度，ハブ部に装着して、繰り返して使用することが可能である。【０００７】  第二発明は，任意枚数の羽根部を有し，羽根部を回転させることにより装置前面に送風する扇風機において，保冷剤入りの袋を羽根部に着脱可能にして取り付けることのできるようにしたことを特徴とする冷風扇風機である。【０００８】  この第二発明においては，羽根部はハブ部と連結しており、羽根部の片面に蓋の出来るように開口部を形成する。この開口部に保冷剤入りの袋を装着する。保冷剤入りの袋は適宜羽根部から取り外して，冷蔵庫や冷凍庫等で冷却する。冷却した保冷剤入りの袋を再度，羽根部の開口部に装着して，繰り返して使用することが可能である。【０００９】  第三発明は，上記冷風扇風機において，保冷剤を内臓した羽根部をハブ部に着脱したり，保冷剤入りの袋を羽根部に着脱したりすることができるように，ガードの一部を開閉できるようにしたことを特徴とする冷風扇風機である。【００１０】  この第三発明においては，ガードの一部を開くときに冷風扇風機の電源が切れるようにする。また，すぐには止まらない羽根部の回転を止めるストッパーを設置する。このことにより，保冷剤内臓の羽根部をハブ部から着脱したり，保冷剤の袋を羽根部から着脱したりするときに安全にできるようにする。【００１１】  第四発明は，上記冷風扇風機において，羽根部にサーモテープを取り付け，羽根部の温度が羽根部の静止中でも，回転中でも視覚で確認できるようにしたことを特徴とする冷風扇風機である。
【発明の効果】
【００１２】  本発明では，かかる構成とすることにより次のような効果が得られる。
第一は，羽根部に保冷剤を内臓，又は装着することにより，扇風機を可動し羽根部を回転する時，羽根部に圧縮された冷たい空気を送風することができ，地球温暖化・省エネが叫ばれる中，低コストで涼しい風を得られ，快適性を向上することができる。【００１３】  第二は、保冷剤を内臓した羽根部がハブ部から着脱可能であったり，羽根部に装着する保冷剤の袋が羽根部から着脱可能であったりする構造になっているので，羽根部に取り付けられているサーモテープの色により、羽根部の温度を確認しながら，適宜保冷剤内臓の羽根部や羽根部に装着してある保冷剤の袋を取り出して冷蔵庫や冷凍庫等で冷やすことができ，再使用が極めて容易である。予備の保冷剤内臓の羽根部や羽根部に装着する保冷剤の袋を冷蔵庫や冷凍庫等で冷やしておけば，必要な時に取り替えることにより，低コストで、連続して涼しい風が得られる。
【発明を実施するための最良の形態】
【００１４】  第一の発明の一実施形態を図２，３，４に示す。保冷剤７は任意枚数の羽根部６の内部に密封するように内蔵する。羽根部６は図２，３に示されるようにハブ部１０から着脱できるように装着する。羽根部６をハブ部１０に装着する際，羽根部がハブ部にしっかり装着できるようにストッパー１１等で固定する。【００１５】  第二の発明の一実施形態を図５，６に示す。任意枚数の羽根部１２に保冷剤の袋を装着できるように羽根部の片面に開口部を設ける。保冷剤の袋の形態は，羽根部の開口部の形態と同一にし，保冷剤の袋が羽根部の開口部に隙間なく収まるようにする。保冷材の袋を羽根部の開口部に装着した後，蓋１３をしめることができるようにする。このように羽根部に保冷剤を装着しても羽根部の表面に突起が生じないようにして，羽根部の回転時に空気の流れを乱すことなく冷風を送風できるようにする。【００１６】  第三の発明の一実施形態を図７，８，９，１０に示す。保冷剤を内臓した羽根部をハブ部に着脱したり，保冷剤の袋を羽根部に着脱したりできるように，ガードの一部２を図７，８に示すように開閉できるようにする。ガードの一部２を開く時，冷風扇風機の電源が切れるように，図７に示すようにガードの一部の開き口を配線１６が通るようにする。また，図９，１０に示すように，すぐには止まらない羽根部の回転を止めるストッパー１８を設置して安全に着脱できるようにする。【００１７】  第四の発明の一実施形態を図４，５に示す。任意枚数の羽根部にサーモテープ２１を取り付ける。羽根部が温度により段階的にサーモテープの色が変化するので，冷風扇風機が静止中でも，回転中でも，羽根部の温度を視覚で確認できる。羽根部の温度が高くなってきたら，保冷剤が内臓されている羽根部６や，羽根部に装着されている保冷剤７の袋を取り外して冷蔵庫や冷凍庫等で冷却して繰り返し利用できる。
【図面の簡単な説明】
【００１８】
【図１】  保冷剤を内臓，又は装着した冷風扇風機の正面図である。
【図２】  保冷剤を内臓した羽根部をハブ部に装着する状態を示す図である。
【図３】  保冷剤を内臓した羽根部をハブ部に装着した状態を示す図である。
【図４】  保冷剤を内臓した羽根部をハブ部に装着した状態の正面図である。
【図５】  保冷剤の袋を羽根部の開口部に装着する状態を示す図である。
【図６】  保冷剤の袋を装着した羽根部の正面図である。
【図７】  ガードの一部を閉じた状態を示す図である。
【図８】  ガードの一部を開いた状態を示す図である。
【図９】  羽根部の回転を止めるストッパーの構造を示す一部断面図である。
【図１０】  羽根部の回転を止めるストッパーを押した状態を示す一部断面図である。
【符号の説明】
【００１９】    １    保冷剤を内臓，又は装着した羽根部
２    開閉可能なガードの一部
３    ガード
４    支柱
５    台
６    保冷剤を内臓した羽根部
７    保冷剤
８    ハブ部に装着する部分
９    羽根部を装着する部分
１０  ハブ部
１１  羽根部を装着する部分のストッパー
１２  保冷剤を装着可能な羽根部
１３  蓋
１４  保冷剤を装着した羽根部
１５  ガードの一部を閉めるストッパー
１６  ガードの一部が開いた時，冷風扇風機の電源が切れる配線
１７  安全蓋
１８  ハブ部を押えるストッパー
１９  バネ
２０  駆動部
２１  サーモテープ
【図１】
2009127621.tif 000003
【図２】
2009127621.tif 000004
【図３】
2009127621.tif 000005
【図４】
2009127621.tif 000006
【図５】
2009127621.tif 000007
【図６】
2009127621.tif 000008
【図７】
2009127621.tif 000009
【図８】
2009127621.tif 000010
【図９】
2009127621.tif 000011
【図１０】
2009127621.tif 000012